(57)【要約】【課題】画像情報を不審者の捜査に役立たせることができる情報処理装置を提供する。【解決手段】本発明に係る情報処理装置２００は、人物が出入りする屋内に設置される。情報処理装置２００は、第１記憶部５０と、消去部２４と、検知部２５と、規制部２６とを備える。第１記憶部５０は、画像情報を記憶する。消去部２４は、所定期間が経過すると、画像情報を第１記憶部５０から消去する。検知部２５は、不審者信号が出されたか否かを検知する。規制部２６は、不審者信号が出されたと検知部２５が検知することに応答して、消去部２４が画像情報を消去することを規制する。画像情報は、人物が示される人物情報を含む。不審者信号は、人物が所定条件を満足するときに発生する。【選択図】図２
2020057994.tif 000002
【特許請求の範囲】
【請求項１】
人物が出入りする屋内に設置される情報処理装置であって、
画像情報を記憶する第１記憶部と、
所定期間が経過すると、前記画像情報を前記第１記憶部から消去する消去部と、
不審者信号が出されたか否かを検知する検知部と、
前記不審者信号が出されたと前記検知部が検知することに応答して、前記消去部が前記画像情報を消去することを規制する規制部と
を備え、
前記画像情報は、前記人物が示される人物情報を含み、
前記不審者信号は、前記人物が所定条件を満足するときに発生する、情報処理装置。
【請求項２】
第１入力部を更に備え、
前記第１入力部が操作されることにより、前記不審者信号が出されたと前記検知部が検知する、請求項１に記載の情報処理装置。
【請求項３】
前記不審者信号が送信部から特定場所に送信されたときに、前記不審者信号が出されたと前記検知部が検知し、
前記特定場所は、警察署又は警備会社である、請求項１に記載の情報処理装置。
【請求項４】
特定場所からの前記不審者信号が受信部で受信されたときに、前記不審者信号が出されたと前記検知部が検知し、
前記特定場所は、警察署又は警備会社である、請求項１に記載の情報処理装置。
【請求項５】
撮像部と、
前記撮像部から出力された撮像画像に基づいて前記画像情報を作成する作成部と
を更に備える、請求項１から請求項４のいずれか１項に記載の情報処理装置。
【請求項６】
許可情報を記憶する第２記憶部と、
前記許可情報が入力される第２入力部と、
前記第２入力部に前記許可情報が入力されたか否かを判定する判定部と、
前記判定部の判定結果に基づいて前記画像情報を出力する出力部と
を更に備える、請求項１から請求項５のいずれか１項に記載の情報処理装置。
【請求項７】
前記許可情報は、第１管理者情報と第２管理者情報とを含み、
前記第１管理者情報は、第１管理者であることを示し、
前記第２管理者情報は、前記第１管理者と異なる第２管理者であることを示す、請求項６に記載の情報処理装置。
【請求項８】
前記画像情報に基づいて画像を記録媒体に形成する画像形成部を更に備える、請求項１から請求項７のいずれか１項に記載の情報処理装置。
【発明の詳細な説明】
【技術分野】
【０００１】
本発明は、情報処理装置に関する。
【背景技術】
【０００２】
一般的に、コンビニエンスストアには、複数の防犯カメラと、画像処理装置とが設置されている。例えば、特許文献１には、画像処理装置が開示されている。画像処理装置は、複数の防犯カメラの各々から映像データを取得する映像取得部と、映像データに基づいて画像情報を記憶する画像記憶部とを備える。防犯カメラには、犯罪の瞬間の記録と、犯罪の抑止といった機能がある。例えば、コンビニエンスストアの近隣で事件が起った際、画像記憶部に記録された画像情報中に不審者の情報が含まれていることがある。
【先行技術文献】
【特許文献】
【０００３】
【特許文献１】特開２００６−２８７２８７号公報
【発明の概要】
【発明が解決しようとする課題】
【０００４】
しかしながら、特許文献１に記載の画像処理装置では、３日が経過すると、画像記憶部に記憶された画像情報は消去される。従って、不審者の捜査が開始された頃には、画像情報が消去されており、不審者の捜査に役立たなかった。
【０００５】
本発明は、上記課題に鑑み、画像情報を不審者の捜査に役立たせることができる情報処理装置を提供することを目的とする。
【課題を解決するための手段】
【０００６】
本発明に係る情報処理装置は、人物が出入りする屋内に設置される。情報処理装置は、第１記憶部と、消去部と、検知部と、規制部とを備える。第１記憶部は、画像情報を記憶する。消去部は、所定期間が経過すると、画像情報を第１記憶部から消去する。検知部は、不審者信号が出されたか否かを検知する。規制部は、不審者信号が出されたと検知部が検知することに応答して、消去部が画像情報を消去することを規制する。画像情報は、人物が示される人物情報を含む。不審者信号は、人物が所定条件を満足するときに発生する。
【発明の効果】
【０００７】
本発明によれば、画像情報を不審者の捜査に役立たせることができる情報処理装置を提供できる。
【図面の簡単な説明】
【０００８】
【図１】本発明の実施形態１に係る情報処理装置が設置されたコンビニエンスストアの内部を示す図である。
【図２】実施形態１に係る情報処理装置を示すブロック図である。
【図３】実施形態１に係る画像形成装置を示す模式断面図である。
【図４】実施形態１に係る画像形成装置の装置制御部を示すブロック図である。
【図５】実施形態１に係る操作画像を示す図である。
【図６】実施形態１に係る別の操作画像を示す図である。
【図７】実施形態１に係る装置制御部の処理の一部を示すフローチャートである。
【図８】実施形態１に係る装置制御部の処理の他の一部を示すフローチャートである。
【発明を実施するための形態】
【０００９】
以下、図面を参照して、本発明に係る情報処理装置の実施形態について説明する。なお、図中、同一又は相当部分については同一の参照符号を付して説明を繰り返さない。
【００１０】
［実施形態１］
図１を参照して、本発明の実施形態１に係る情報処理装置２００について説明する。図１は、実施形態１に係る情報処理装置２００が設置されたコンビニエンスストアの内部を示す図である。図２は、実施形態１に係る情報処理装置２００を示すブロック図である。実施形態１に係る情報処理装置２００は、複数のカメラＣ１〜ＣＮの各々から映像データを取得して、映像データに基づいた画像情報を記憶する。実施形態１ではＮ＝６である。以下、カメラＣ１〜カメラＣＮを総称してカメラＣｎと記載する場合がある。ｎは１以上の整数を示す。画像情報は人物が示される人物情報を含む。人物情報は、コンビニエンスストア１を訪れた顧客（人物）ＰＰを示す。
【００１１】
図１及び図２に示すように、情報処理装置２００は、６台のカメラＣ１〜Ｃ６と、１台の画像形成装置１００とを備える。６台のカメラＣ１〜Ｃ６の各々は、撮像部の一例である。
【００１２】
画像形成装置１００は、例えば、複写機、プリンター又は複合機（ＭＦＰ：Ｍｕｌｔｉｆｕｎｃｔｉｏｎ  Ｐｅｒｉｐｈｅｒａｌ）である。以下では、一例として、画像形成装置１００がプリンター機能と複写機能とファクシミリ機能とを有するモノクロ複合機である場合について説明する。
【００１３】
コンビニエンスストア１は、出入口４とレジ２と商品棚３と電話５とを含む。電話５は、送信部の一例である。レジ２と商品棚３と電話５と画像形成装置１００とは、店内（屋内）に設置されている。コンビニエンスストア１の店員Ｐ１は、レジ２の近辺にいる。店員Ｐ１は、ＩＤカードを所持している。ＩＤカードは、店員Ｐ１の識別情報を記録する。顧客ＰＰは、出入口４を通過して、店外から店内に移動する。顧客ＰＰは、商品を購入する際には、レジ２で店員Ｐ１に金銭を支払う。また、顧客ＰＰは、書類をコピーする際には、画像形成装置１００を操作する。そして、顧客ＰＰは、出入口４を通過して、店内から店外に移動する。
【００１４】
なお、コンビニエンスストア１の店長Ｐ２は自宅にいる。店長Ｐ２は、ＩＤカードを所持している。ＩＤカードは、店長Ｐ２の識別情報を記録する。警察官Ｐ３は警察署にいる。警備員Ｐ４は、警備会社にいる。従業員Ｐ５は、コンビニエンスストア本社にいる。警察署及び警備会社は、特定場所の一例である。
【００１５】
カメラＣ１は、例えば、出入口４の近辺の店外に設置されている。カメラＣ２は、例えば、出入口４の近辺の店内に設置されている。カメラＣ３は、例えば、レジ２の近辺に設置されている。カメラＣ４は、例えば、出入口４に対して店内の奥に設置されている。カメラＣ５は、例えば、店外に設置されている。カメラＣ６は、例えば、画像形成装置１００の近辺に設置されている。
【００１６】
実施形態１において、カメラＣ１〜カメラＣ６は、互いに同様の構成と機能とを有する。以下、カメラＣ１の構成と機能とを説明する。カメラＣ１は、撮像素子１１と、カメラ通信部１２と、カメラ記憶部１３と、カメラ制御部１４とを備える。
【００１７】
撮像素子１１は、所定の撮像領域を撮像する。撮像素子１１は、映像データを出力する。映像データは、撮像画像の一例である。撮像素子１１は、例えば、電荷結合素子（Ｃｈａｒｇｅ  Ｃｏｕｐｌｅｄ  Ｄｅｖｉｃｅ：ＣＣＤ）イメージセンサー、又は、相補型金属酸化物半導体（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）イメージセンサーである。
【００１８】
カメラ通信部１２は、カメラ通信部１２と同じ通信方式（プロトコル）を利用する通信機の搭載された電子機器との間で通信する。カメラ通信部１２は、ローカルエリアネットワーク（Ｌｏｃａｌ  Ａｒｅａ  Ｎｅｔｗｏｒｋ：ＬＡＮ）のようなネットワーク網を介して画像形成装置１００と通信する。カメラ通信部１２は、例えば、ＬＡＮボードのような通信モジュール（通信機器）である。
【００１９】
カメラ記憶部１３は、カメラ制御プログラムのような各種データを記憶する。カメラ記憶部１３は、例えば、半導体メモリーによって構成される。半導体メモリーは、例えば、ランダムアクセスメモリー（Ｒａｎｄｏｍ  Ａｃｃｅｓｓ  Ｍｅｍｏｒｙ：ＲＡＭ）及びリードオンリーメモリー（Ｒｅａｄ  Ｏｎｌｙ  Ｍｅｍｏｒｙ：ＲＯＭ）である。
【００２０】
カメラ制御部１４は、カメラ記憶部１３に記憶されたカメラ制御プログラムを実行することによって、カメラＣ１が備える各部の動作を制御する。カメラ制御部１４は、例えば、マイクロプロセッシングユニット（ｍｉｃｒｏ  ｐｒｏｃｅｓｓｉｎｇ  ｕｎｉｔ：ＭＰＵ）のようなプロセッサーによって構成される。
【００２１】
カメラ制御部１４は、映像データをカメラ通信部１２から画像形成装置１００へ所定時刻に送信する。カメラＣ１のカメラ通信部１２は、映像データを画像形成装置１００へ第１所定時刻ｍｔに送信する。カメラＣ２のカメラ通信部１２は、映像データを画像形成装置１００へ第２所定時刻（ｍｔ＋Δｔ）に送信する。つまり、画像形成装置１００の通信帯域が不足しないように、カメラＣｎのカメラ通信部１２は、映像データを画像形成装置１００へ第ｎ所定時刻（ｍｔ＋（ｎ−１）Δｔ）に送信する。なお、ｍは、任意の整数であり、Δｔは、任意の時間間隔である。
【００２２】
次に、図２及び図３を参照して、画像形成装置１００の構成を説明する。図３は、実施形態に係る画像形成装置１００を示す模式断面図である。図２及び図３に示すように、画像形成装置１００は、装置制御部２０、出入力装置３０、装置記憶部５０、装置通信部６０、原稿読取部７０、画像形成部８０、給送部９０、搬送部９１及び排出部９２を備える。出入力装置３０は、第１入力部及び第２入力部の一例である。装置記憶部５０は、第１記憶部及び第２記憶部の一例である。
【００２３】
原稿読取部７０は、原稿Ｇの画像を読み取る。給送部９０は、複数のシートＳを収容し、搬送部９１へシートＳを給送する。シートＳは、記録媒体の一例である。シートＳは、例えば、紙製又は合成樹脂製のシートである。搬送部９１は、複数の搬送ローラー対を含み、画像形成部８０にシートＳを搬送する。画像形成部８０は、シートＳに画像を形成する。
【００２４】
詳しくは、画像形成部８０は、電子写真方式によってシートＳに画像を形成し、画像を加熱及び加圧してシートＳに画像を定着させる。具体的には、画像形成部８０は、感光体ドラムと、帯電装置と、露光装置と、現像装置と、転写装置と、クリーニング装置と、除電装置と、定着装置とを含む。
【００２５】
搬送部９１は、画像の定着されたシートＳを排出部９２に搬送する。排出部９２は画像形成装置１００の外部にシートＳを排出する。
【００２６】
装置通信部６０は、装置通信部６０と同じ通信方式（プロトコル）を利用する通信機の搭載された電子機器との間で通信する。装置通信部６０は、ＬＡＮのようなネットワーク網を介してカメラ通信部１２と通信する。装置通信部６０は、例えば、ＬＡＮボードのような通信モジュール（通信機器）である。実施形態１において、装置通信部６０は、６台のカメラＣ１〜Ｃ６のカメラ通信部１２の各々から映像データを受信する。
【００２７】
装置記憶部５０は、映像データと許可情報と装置制御プログラムとのような各種データを記憶する。装置記憶部５０は、ストレージデバイス及び半導体メモリーによって構成される。ストレージデバイスは、例えば、ハードディスクドライブ（Ｈａｒｄ  Ｄｉｓｋ  Ｄｒｉｖｅ：ＨＤＤ）及び／又はソリッドステートドライブ（Ｓｏｌｉｄ  Ｓｔａｔｅ  Ｄｒｉｖｅ：ＳＳＤ）である。半導体メモリーは、例えば、ＲＡＭ及びＲＯＭである。
【００２８】
許可情報は、装置記憶部５０に記憶された映像データのような各種データを出力することを許可するための情報である。許可情報は、店員情報（第１管理者情報）と店長情報（第２管理者情報）とを含む。店員情報は、店員であることを証明する情報である。店長情報は、店長であることを証明する情報である。
【００２９】
図４を参照して、画像形成装置１００の装置制御部２０の構成について説明する。図４は、実施形態１に係る画像形成装置１００の装置制御部２０を示すブロック図である。図４に示すように、装置制御部２０は、抽出部２２、作成部２３と、消去部２４と、検知部２５と、規制部２６と、判定部２７と、出力部２８とを含む。装置制御部２０は、例えば、中央処理演算装置（Ｃｅｎｔｒａｌ  Ｐｒｏｃｅｓｓｉｎｇ  Ｕｎｉｔ：ＣＰＵ）のようなプロセッサーによって構成される。装置制御部２０のプロセッサーは、装置記憶部５０に記憶された装置制御プログラムを実行することで、抽出部２２と、作成部２３と、消去部２４と、検知部２５と、規制部２６と、判定部２７と、出力部２８として機能する。
【００３０】
装置通信部６０が映像データを受信すると、映像データに人物情報（二次情報）が含まれているか否かを抽出部２２は判定する。抽出部２２は、例えば、背景差分法によって画像の変化を検知する。あるいは、抽出部２２は、隣接フレーム間差分法によって画像の変化を検知する。抽出部２２は、画像の変化を検知したときには、映像データに人物情報が含まれていると判定する。
【００３１】
映像データに人物情報が含まれていると抽出部２２が判定したときには、抽出部２２は映像データを装置記憶部５０に記憶させる。例えば、第２所定時刻（ｍｔ＋Δｔ）に受信された映像データに人物情報が含まれていると抽出部２２が判定したときには、カメラＣｎから時刻をずらして映像データを取得しているため、抽出部２２は、他のカメラＣｎから第３所定時刻（ｍ（ｔ−１）＋２Δｔ）〜第１所定時刻（（ｍ＋１）ｔ）に受信された映像データを、第２所定時刻（ｍｔ＋Δｔ）に受信された映像データと同じ時刻に取得された映像データとして、装置記憶部５０に記憶させる。
【００３２】
作成部３２は、カメラＣｎから出力された映像データに基づいて画像情報を作成する。詳しくは、作成部２３は、映像データに含まれている人物情報を抽出して、人物情報を装置記憶部５０に記憶させる。人物情報は、画像情報の一例である。例えば、映像データ中から人物データを特定し、特定された人物データから人物情報を作成する。人物情報は、人物の顔についての情報であってもよく、又は、人物の全身についての情報であってもよい。例えば、人物の顔についての情報は、例えば、目、鼻及び口の大きさ、位置及び比率、並びに、人物の顔の大きさを含む。また、人物の全身についての情報は、例えば、人物の身長、縦横比、衣服の色、衣服の種類、及び／又は、性別である。なお、夕方のような赤色が強い状態が確認された場合には、作成部２３は衣服の色について色の補正を行ってもよい。映像データでなく人物情報を装置記憶部５０に記憶させることで、装置記憶部５０は多量のデータを記憶することができる。
【００３３】
また、作成部２３は、三次情報を装置記憶部５０に記憶させてもよい。三次情報は、画像情報の一例である。三次情報は、作成した人物情報で示される顧客ＰＰについて、入店から退店するまでを追跡した情報を含む。三次情報を装置記憶部５０に記憶させることで、顧客ＰＰが不審者であるか否かを判断しやすくなる。
【００３４】
消去部２４は、映像データと人物情報と三次情報とを装置記憶部５０から消去する。具体的には、装置記憶部５０に記憶されてから所定期間が経過した映像データを消去部２４は装置記憶部５０から消去する。また、装置記憶部５０に記憶されてから所定期間が経過した人物情報を消去部２４は装置記憶部５０から消去する。更に、装置記憶部５０に記憶されてから所定期間が経過した三次情報を消去部２４は装置記憶部５０から消去する。所定期間は、例えば、３日である。
【００３５】
出入力装置３０は、ＬＣＤ（Ｌｉｑｕｉｄ  Ｃｒｙｓｔａｌ  Ｄｉｓｐｌａｙ）のようなディスプレイと、ディスプレイに取付けられたタッチパネルと、カードリーダーとを含む。出入力装置３０は、装置制御部２０による制御の下で、種々の操作画像を表示する。出入力装置３０において、操作者が操作画像をタッチすることで、種々の実行指令が装置制御部２０に入力される。
【００３６】
次に、図５を参照して、実施形態１に係る操作画像３０Ａについて説明する。図５は、実施形態に係る操作画像３０Ａを示す図である。出入力装置３０は、操作画像３０Ａを初期操作画像として表示する。
【００３７】
図５に示すように、操作画像３０Ａは、アイコン３０ａ〜アイコン３０ｄを含む。アイコン３０ａ〜アイコン３０ｄの各々は、操作キー画像であり、操作者から入力操作を受け付ける。例えば、アイコン３０ａは「コピー」アイコンを示す。アイコン３０ａは、コピー動作を開始させる指示を操作者から受け付ける。
【００３８】
アイコン３０ｂは「送信」アイコンを示す。アイコン３０ｂは、送信動作を開始させる指示を操作者から受け付ける。アイコン３０ｃは「ファックス」アイコンを示す。アイコン３０ｃは、ファックス動作を開始させる指示を操作者から受け付ける。アイコン３０ｄは「ＩＤカードコピー」アイコンを示す。アイコン３０ｄは、ＩＤカードコピー動作を開始させる指示を操作者から受け付ける。
【００３９】
操作画像３０Ａは、フォルダー３１ａ〜フォルダー３１ｄを更に含む。例えば、フォルダー３１ａは「ユーザーボックス」フォルダーを示し、フォルダー３１ｂは「ジョブボックス」フォルダーを示す。例えば、フォルダー３１ｃは「外部メモリー」フォルダーを示し、フォルダー３１ｄは「ファックスボックス」フォルダーを示す。フォルダー３１ａ〜フォルダー３１ｄの各々は、各種のデータを整理して保存する入れ物である。
【００４０】
操作画像３０Ａはボタン４２ａを更に含む。ボタン４２ａは、「個人情報ロック」ボタンを示す。ボタン４２ａは、操作キー画像であり、装置記憶部５０から画像情報を消去することを規制する指示を操作者（例えば、店員Ｐ１）から受け付ける。例えば、顧客ＰＰが所定条件を満足するときに店員Ｐ１はボタン４２ａをタッチする。所定条件は、変装していること、怪しい行動を行ったこと、犯罪を行ったこと、犯罪を行った可能性があること、又は、指名手配されていることである。
【００４１】
不審者信号は、顧客ＰＰが所定条件を満足するときに発生する。具体的には、不審者信号は、操作画像３０Ａのボタン４２ａがタッチされたときに発生する。例えば、顧客ＰＰが所定条件を満足すると店員Ｐ１が判断して、店員Ｐ１が操作画像３０Ａのボタン４２ａをタッチする。店員Ｐ１が出入力装置３０の操作画像３０Ａのボタン４２ａをタッチ（操作）することにより、出入力装置３０が不審者信号を発生させる。不審者信号が出されたか否かを検知部２５は検知する。
【００４２】
不審者信号が出されたと検知部２５が検知することに応答して、消去部２４が画像情報を消去することを、規制部２６は規制する。例えば、消去部２４が映像データと人物情報と三次情報とを消去することを、規制部２６は規制する。従って、不審者信号が出されたと検知部２５が検知すると、装置記憶部５０に記憶されてから所定期間が経過しても、消去部２４は映像データと人物情報と三次情報とを装置記憶部５０から消去しない。その結果、映像データと人物情報と三次情報とを、所定期間が経過しても、装置記憶部５０に記憶させておくことができる。よって、所定期間が経過しても警察官Ｐ３は画像情報を不審者の捜査に役立たせることができる。実施形態１では、顧客ＰＰが所定条件を満足すると店員Ｐ１が判断すれば、映像データと人物情報と三次情報とを、所定期間が経過しても、装置記憶部５０に記憶させておくことができる。
【００４３】
続けて、図６を参照して、実施形態に係る別の操作画像３０Ｂについて説明する。図６は、実施形態に係る別の操作画像３０Ｂを示す図である。出入力装置３０は、操作画像３０Ｂをロック状態画像として表示する。ロック状態画像は、映像データと人物情報と三次情報とを、所定期間が経過しても、装置記憶部５０に記憶させておく状態となっていることを示す画像である。
【００４４】
図６に示すように、操作画像３０Ｂは、操作画像３０Ａの構成に加えて、ボタン４２ｂを更に含む。ボタン４２ｂは、「個人情報出力」ボタンを示す。ボタン４２ｂは、操作キー画像であり、装置記憶部５０から人物情報と三次情報とを出力する指示を操作者（例えば、店員Ｐ１及び店長Ｐ２）から受け付ける。
【００４５】
出入力装置３０に許可情報が入力されたか否かを判定部２７は判定する。例えば、店員Ｐ１が操作画像４０Ｂのボタン４２ｂをタッチすると、判定部２７は許可情報入力画像を出入力装置３０に表示させる。許可情報入力画像は、許可情報を入力するための画像を示す。店員Ｐ１は、ＩＤカードを出入力装置３０のカードリーダーに接触させる。更に、店長Ｐ２は、ＩＤカードを出入力装置３０のカードリーダーに接触させる。店員Ｐ１のＩＤカードと店長Ｐ２のＩＤカードとが出入力装置３０に接触された場合には、許可情報が入力されたと判定部２７は判定する。一方、店員Ｐ１のＩＤカードが出入力装置３０に接触されない場合と、店長Ｐ２のＩＤカードが出入力装置３０に接触されない場合と、店員Ｐ１のＩＤカードと店長Ｐ２のＩＤカードとの双方が出入力装置３０に接触されない場合とには、許可情報が入力されていないと判定部２７は判定する。すなわち、店員Ｐ１と店長Ｐ２との２人の操作がなければ、人物情報と三次情報とは出力されない。従って、人物情報と三次情報とは出力されないので、人物情報と三次情報とが第三者に悪用されることを防止することができる。
【００４６】
出力部２８は、判定部２７の判定結果に基づいて人物情報と三次情報とを出力する。例えば、許可情報が入力されたと判定部２７は判定すると、装置記憶部５０に記憶されている人物情報と三次情報とに基づいて画像を出力部２８はシートＳに形成させる。従って、画像が形成されたシートＳを店員Ｐ１は警察官Ｐ３に提供したり、警察署にファックスしたりすることができる。
【００４７】
次に、図７及び図８を参照して、装置制御部２０の具体的な処理を説明する。図７及び図８は、実施形態１に係る装置制御部２０の処理を示すフローチャートである。ステップＳ１０１〜ステップＳ１１４が実行されることによって、装置制御部２０は、処理を実行する。具体的には、以下の通りである。
【００４８】
図７に示すように、ステップＳ１０１において、装置通信部６０はカメラＣ１〜カメラＣ６の各々から映像データを受信できたか否かを判定する。カメラＣ１〜カメラＣ６の内から受信できなかったカメラが存在する場合（ステップＳ１０１のＮｏ）、処理はステップＳ１０２に進む。
ステップＳ１０２において、受信できなかったカメラの種類を装置通信部６０は出入力装置３０に表示する。カメラの種類を表示するか、カメラＣ１〜カメラＣ６の全てから受信できた場合（ステップＳ１０１のＹｅｓ）、処理はステップＳ１０３に進む。
【００４９】
ステップＳ１０３において、受信できたカメラＣ１〜カメラＣ６から映像データを装置通信部６０は受信する。装置通信部６０が映像データを受信すると、処理はステップＳ１０４に進む。
【００５０】
ステップＳ１０４において、映像データに人物情報が含まれているか否かを抽出部２２は判定する。映像データに人物情報が含まれていないと抽出部２２が判定した場合（ステップＳ１０４のＮｏ）、処理はステップＳ１０３に戻る。映像データに人物情報が含まれていると抽出部２２が判定した場合（ステップＳ１０４のＹｅｓ）、処理はステップＳ１０５に進む。
【００５１】
ステップＳ１０５において、抽出部２２は映像データを装置記憶部５０に記憶させる。抽出部２２が映像データを記憶させると、処理はステップＳ１０６に進む。
【００５２】
ステップＳ１０６において、作成部２３は、映像データに含まれている人物情報を抽出して、人物情報を装置記憶部５０に記憶させる。作成部２３が人物情報を記憶させると、処理はステップＳ１０７に進む。
ステップＳ１０７において、作成部２３は、三次情報を装置記憶部５０に記憶させる。作成部２３が三次情報を記憶させると、処理は図８に示すステップＳ１０８に進む。
【００５３】
図８に示すように、ステップＳ１０８において、不審者信号が出されたか否かを検知部２５は検知する。不審者信号が出されていないと検知部２５は判定した場合（ステップＳ１０８のＮｏ）、処理はステップＳ１０９に進む。
【００５４】
ステップＳ１０９において、映像データが装置記憶部５０に記憶されてから所定期間が経過したか否かを消去部２４は判定する。所定期間が経過していないと消去部２４が判定した場合（ステップＳ１０９のＮｏ）、処理は図７に示すステップＳ１０３に戻る。所定期間が経過したと消去部２４が判定した場合（ステップＳ１０９のＹｅｓ）、処理はステップＳ１１０に進む。
【００５５】
ステップＳ１１０において、消去部２４は、映像データと人物情報と三次情報とを装置記憶部５０から消去する。消去部２４が消去すると、処理が終了する。
【００５６】
一方、不審者信号が出されたと検知部２５が判定した場合（ステップＳ１０８のＹｅｓ）、処理はステップＳ１１１に進む。
ステップＳ１１１において、消去部２４が映像データと人物情報と三次情報とを消去することを規制部２６は規制する。消去部２４が消去することを規制部２６が規制すると、処理はステップＳ１１２に進む。
【００５７】
ステップＳ１１２において、ボタン４２ｂがタッチされたか否かを判定部２７は判定する。ボタン４２ｂがタッチされていないと判定部２７は判定した場合（ステップＳ１１２のＮｏ）、処理はステップＳ１１２に戻る。一方、ボタン４２ｂがタッチされたと判定部２７が判定した場合（ステップＳ１１２のＹｅｓ）、処理はステップＳ１１３に進む。
【００５８】
ステップＳ１１３において、許可情報が入力されたか否かを判定部２７は判定する。許可情報が入力されたと判定部２７が判定した場合（ステップＳ１１３のＹｅｓ）、処理はステップＳ１１４に進む。
【００５９】
ステップＳ１１４において、出力部２８は、人物情報と三次情報とを出力する。出力部２８が出力すると、処理が終了する。一方、許可情報が入力されていないと判定部２７が判定した場合（ステップＳ１１３のＮｏ）、処理はステップＳ１１５に進む。
【００６０】
ステップＳ１１５において、許可情報を再入力させるための許可情報入力画像を判定部２７は出入力装置３０に表示する。判定部２７が表示すると、処理はステップＳ１１２に戻る。
【００６１】
以上、図１〜図８を参照して説明したように、本実施形態によれば、所定期間が経過しても映像データと人物情報と三次情報とは装置記憶部５０に記憶されているので、いつでも映像データと人物情報と三次情報とを取得することができる。その結果、所定期間が経過しても警察官Ｐ３は映像データと人物情報と三次情報とを不審者の捜査に役立たせることができる。また、店員Ｐ１と店長Ｐ２との２人の操作がなければ、人物情報と三次情報とは出力されないので、人物情報と三次情報とが第三者に悪用されることを防止することができる。
【００６２】
［実施形態２］
次に、図１〜図６を参照して、本発明の実施形態２に係る情報処理装置について説明する。実施形態２に係る情報処理装置では、店員Ｐ１が警察官Ｐ３に電話５で連絡することで、不審者信号が出されたと検知部２５が判定する点で、実施形態２は実施形態１に係る情報処理装置２００と異なる。また、実施形態２に係る情報処理装置では、店員Ｐ１が警察官Ｐ３に電話５で連絡して、店員Ｐ１はＩＤカードを出入力装置３０に接触させることで、許可情報が入力されたと判定部２７が判定する点で、実施形態２は実施形態１に係る情報処理装置２００と異なる。実施形態２では、実施形態１と異なる部分を主に説明する。
【００６３】
不審者信号が電話５から警察署に送信されたときに、不審者信号が出されたと検知部２５は検知する。具体的には、不審者信号は、店員が警察官Ｐ３に電話５で連絡したときに発生する。例えば、顧客ＰＰが所定条件を満足すると店員Ｐ１が判断して、店員Ｐ１が警察官Ｐ３に電話５で連絡する。店員Ｐ１が警察官Ｐ３に電話５で連絡した場合に、電話５が不審者信号を発生させる。従って、店員Ｐ１が警察官Ｐ３に電話５で連絡すれば、映像データと人物情報と三次情報とを、所定期間が経過しても、装置記憶部５０に記憶させておくことができる。
【００６４】
許可情報は、警察官連絡情報と店員情報とを含む。警察官連絡情報は、店員Ｐ１が警察官Ｐ３に電話５で連絡したことを示す情報である。店員情報は、店員であることを証明する情報である。
【００６５】
出入力装置３０に許可情報が入力されたか否かを判定部２７は判定する。例えば、店員Ｐ１が警察官Ｐ３に電話５で連絡する。更に、異性店員Ｐ１が操作画像４０Ｂのボタン４２ｂをタッチすると、判定部２７は許可情報入力画像を出入力装置３０に表示させる。許可情報入力画像は、許可情報を入力するための画像を示す。店員Ｐ１は、ＩＤカードを出入力装置３０のカードリーダーに接触させる。店員Ｐ１のＩＤカードが接触された場合に、許可情報が入力されたと判定部２７は判定する。一方、店員Ｐ１のＩＤカードが接触されない場合に、許可情報が入力されていないと判定部２７は判定する。すなわち、店員Ｐ１の操作と警察官Ｐ３への連絡とがなければ、人物情報と三次情報とは出力されない。従って、人物情報と三次情報とは出力されないので、人物情報と三次情報とが第三者に悪用されることを防止することができる。
【００６６】
以上、図１〜図６を参照して説明したように、本実施形態によれば、所定期間が経過しても映像データと人物情報と三次情報とは装置記憶部５０に記憶されているので、いつでも映像データと人物情報と三次情報とを取得することができる。その結果、所定期間が経過しても警察は映像データと人物情報と三次情報とを不審者の捜査に役立たせることができる。
【００６７】
以上、図面を参照しながら本発明の実施形態について説明した。但し、本発明は、上記の実施形態に限られるものではなく、その要旨を逸脱しない範囲で種々の態様において別の実施形態として実施することが可能である。また、上記の実施形態に開示されている複数の構成要素を適宜組み合わせることによって、種々の発明を形成できる。例えば、実施形態に示される全構成要素から幾つかの構成要素を削除してもよい。図面は、発明の理解を容易にするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００６８】
（１）図１を参照して上述した説明では、情報処理装置２００は、複数のカメラを制御したが、本発明はこれに限定されない。情報処理装置２００の制御するカメラは１つであってもよい。また、カメラは録音機能を有してもよい。
【００６９】
（２）実施形態２では、店員Ｐ１が警察官Ｐ３に電話５で連絡した場合に、不審者信号が出されたと検知部２５は検知した。ただし、店員Ｐ１が警備会社の警備員Ｐ４に電話５で連絡した場合に、不審者信号が出されたと検知部２５は検知してもよい。また、許可情報は、警備員連絡情報と店員情報とを含んでもよい。警備員連絡情報は、店員Ｐ１が警備員Ｐ４に電話５で連絡したことを示す情報である。
【００７０】
（３）実施形態２では、店員Ｐ１が警察官Ｐ３に電話５で連絡した場合に、不審者信号が出されたと検知部２５は検知した。ただし、店員Ｐ１がコンビニエンスストア本社の従業員Ｐ５に電話５で連絡した場合に、不審者信号が出されたと検知部２５は検知してもよい。また、許可情報は、従業員連絡情報と店員情報とを含んでもよい。従業員連絡情報は、店員Ｐ１が従業員Ｐ５に電話５で連絡したことを示す情報である。
【００７１】
（４）実施形態２では、店員Ｐ１が警察官Ｐ３に電話５で連絡した場合に、不審者信号が出されたと検知部２５は検知した。ただし、警察ｋからの不審者信号が受信されたときに、不審者信号が出されたと検知部２５は検知してもよい。具体的には、不審者信号は、店員が警察官Ｐ３から電話５で連絡を受けたときに発生する。電話５は、受信部の一例である。例えば、店員Ｐ１が警察官Ｐ３から電話５で連絡を受けた場合に、電話５が不審者信号を発生させる。従って、店員Ｐ１が警察官Ｐ３から電話５で連絡を受ければ、映像データと人物情報と三次情報とを、所定期間が経過しても、装置記憶部５０に記憶させておくことができる。また、許可情報は、警察官連絡情報と店員情報とを含んでもよい。警察官連絡情報は、店員Ｐ１が警察官Ｐ３から電話５で連絡されたことを示す情報である。
【産業上の利用可能性】
【００７２】
本発明は、情報処理装置の分野に有用である。
【符号の説明】
【００７３】
Ｃ１〜Ｃｎ      カメラ
１              コンビニエンスストア
２              レジ
３              商品棚
４              出入口
５              電話（送信部）
１１            撮像素子
１２            カメラ通信部
１３            カメラ記憶部
１４            カメラ制御部
２０            装置制御部
２２            抽出部
２３            作成部
２４            消去部
２５            検知部
２６            規制部
２７            判定部
２８            出力部
３０            出入力装置
４２ａ          ボタン
４２ｂ          ボタン
５０            装置記憶部
６０            装置通信部
７０            原稿読取部
８０            画像形成ユニット
９０            給送部
９１            搬送部
９２            排出部
１００          画像形成装置
２００          情報処理装置
【図１】
2020057994.tif 000003
【図２】
2020057994.tif 000004
【図３】
2020057994.tif 000005
【図４】
2020057994.tif 000006
【図５】
2020057994.tif 000007
【図６】
2020057994.tif 000008
【図７】
2020057994.tif 000009
【図８】
2020057994.tif 000010